(57)【要約】【課題】指示信号の無駄な送信を少なくすることが可能になる通信システム、通信制御装置、動作制御方法およびプログラムを提供する。【解決手段】ユーザ端末と接続されるＤＳＵと、ＤＳＵを制御する通信制御装置と、を含む通信システム。ＤＳＵは、ＤＳＵが動作しているとき、動作確認用信号を通信制御装置に送信する送信手段と、通信制御装置から予め設定された動作を指示する指示信号を受信すると、当該動作を実行する処理手段と、を含む。通信制御装置は、動作確認用信号を受信する受信手段と、受信手段にて動作確認用信号が受信されると、指示信号を、ＤＳＵに送信する制御手段と、を含む。【選択図】図１
2010021850.tif 000002
【特許請求の範囲】
【請求項１】
ユーザ端末と接続されるＤＳＵと、前記ＤＳＵを制御する通信制御装置と、を含む通信システムであって、
前記ＤＳＵは、
前記ＤＳＵが動作しているとき、動作確認用信号を前記通信制御装置に送信する送信手段と、
前記通信制御装置から、予め設定された動作を指示する指示信号を受信すると、当該動作を実行する処理手段と、を含み、
前記通信制御装置は、
前記動作確認用信号を受信する受信手段と、
前記受信手段にて前記動作確認用信号が受信されると、前記指示信号を、前記ＤＳＵに送信する制御手段と、を含む、通信システム。
【請求項２】
請求項１に記載の通信システムにおいて、
前記制御手段は、ＳＤＨ信号のセクションオーバーヘッドまたはＳＤＨ信号のパスオーバーヘッドを用いて、前記指示信号を送信する、通信システム。
【請求項３】
ユーザ端末と接続されかつ動作中に動作確認用信号を送信するＤＳＵを制御する通信制御装置であって、
前記動作確認用信号を受信する受信手段と、
前記受信手段にて前記動作確認用信号が受信されると、予め設定された動作を指示する指示信号を、前記ＤＳＵに送信する制御手段と、を含む通信制御装置。
【請求項４】
請求項３に記載の通信制御装置において、
前記制御手段は、ＳＤＨ信号のセクションオーバーヘッドまたはＳＤＨ信号のパスオーバーヘッドを用いて、前記指示信号を送信する、通信システム。
【請求項５】
ユーザ端末と接続されるＤＳＵと、前記ＤＳＵを制御する通信制御装置と、を含む通信システムでの動作制御方法であって、
前記ＤＳＵが、当該ＤＳＵが動作しているとき、前記通信制御装置に、動作確認用信号を送信する第１送信ステップと、
前記通信制御装置が、前記動作確認用信号を受信すると、前記ＤＳＵに、予め設定された動作を指示する指示信号を送信する第２送信ステップと、
前記ＤＳＵが、前記指示信号を受信すると、当該指示信号に指示された動作を実行する実行ステップと、を含む動作制御方法。
【請求項６】
請求項５に記載の動作制御方法において、
前記第２送信ステップでは、ＳＤＨ信号のセクションオーバーヘッドまたはＳＤＨ信号のパスオーバーヘッドを用いて、前記指示信号を送信する、動作制御方法。
【請求項７】
ユーザ端末と接続されかつ動作中に動作確認用信号を送信するＤＳＵを制御する通信制御装置が行う動作制御方法であって、
前記動作確認用信号を受信する受信ステップと、
前記動作確認用信号が受信されると、予め設定された動作を指示する指示信号を、前記ＤＳＵに送信する送信ステップと、を含む動作制御方法。
【請求項８】
請求項７に記載の動作制御方法において、
前記送信ステップでは、ＳＤＨ信号のセクションオーバーヘッドまたはＳＤＨ信号のパスオーバーヘッドを用いて、前記指示信号を送信する、動作制御方法。
【請求項９】
ユーザ端末と接続されかつ動作中に動作確認用信号を送信するＤＳＵと接続されたコンピュータに、
前記動作確認用信号を受信する受信手順と、
前記動作確認用信号が受信されると、予め設定された動作を指示する指示信号を、前記ＤＳＵに送信する送信手順と、を実行させるためのプログラム。
【請求項１０】
請求項９に記載のプログラムにおいて、
前記送信手順では、ＳＤＨ信号のセクションオーバーヘッドまたはＳＤＨ信号のパスオーバーヘッドを用いて、前記指示信号を送信する、プログラム。
【発明の詳細な説明】
【技術分野】
【０００１】
本発明は、通信システム、通信制御装置、動作制御方法およびプログラムに関する。
【背景技術】
【０００２】
ユーザ端末と接続される回線接続装置と、回線接続装置を制御する通信制御装置と、を含む通信システムが知られている。なお、回線接続装置は、ユーザ宅内に設置され、通信制御装置は、通信事業者（キャリア）の施設内に設置される。
【０００３】
特許文献１から４には、回線接続装置としてメディアコンバータが用いられた通信システムが記載されている。回線接続装置としてメディアコンバータが用いられた通信システムでは、通信制御装置としても、メディアコンバータが用いられる。
【０００４】
メディアコンバータ間の通信は、Ethernet（イーサネット）やATM（Asynchronous Transfer Mode）等のパケットで行われる。一方、通信事業者が有する、メディアコンバータ以外の装置同士は、ＳＤＨ（Synchronous Digital Hierarchy）に基づいた通信を行う。なお、ＳＤＨは、光ファイバーを用いた高速デジタル通信方式の国際規格である。
【０００５】
このため、回線接続装置および通信制御装置としてメディアコンバータが用いられた通信システムでは、回線接続装置と通信制御装置との通信で使用される通信方式が、通信事業者の他の装置同士の通信で使用される通信方式と異なってしまう。
【０００６】
特許文献５には、回線接続装置としてＤＳＵ（Digital Service Unit）が用いられた通信システムが記載されている。
【０００７】
図６は、回線接続装置としてＤＳＵが用いられた通信システムを示したブロック図である。
【０００８】
図６において、通信システムは、ＤＳＵ１０１および１０２と、通信制御装置として機能する伝送装置１０３および１０４と、加入者端末１０５および１０６と、を含む。
【０００９】
ＤＳＵ１０１は、加入者端末１０５と接続される。ＤＳＵ１０２は、加入者端末１０６と接続される。加入者端末１０５および１０６は、Ethernet等のユーザ回線を直接収容する。ＤＳＵ１０１および１０２は、ユーザ宅に設置される。Ｔ点は、ＤＳＵ１０１または１０２と加入者端末１０５または１０６との接続点であり、通信事業者とユーザとの責任分解点となる。
【００１０】
通信事業者側の局舎には、伝送装置１０３および１０４が設置される。伝送装置１０３は、ＤＳＵ１０１を遠隔制御する。伝送装置１０４は、ＤＳＵ１０２を遠隔制御する。例えば、伝送装置１０３は、伝送装置１０３とＤＳＵ１０１との間の信号路（Ｕ点）での異常を検出すると、ＤＳＵ１０１に異常通知警報を通知して、ＤＳＵ１０１に異常発生時の動作を実行させる。
【００１１】
回線接続装置としてＤＳＵが用いられた通信システムでは、ＤＳＵと通信制御装置は、ＳＤＨに基づいた通信を行う。このため、ＤＳＵと通信制御装置との通信は、通信事業者の他の装置間の通信と同様の方式で行うことができる。
【００１２】
したがって、回線接続装置としてＤＳＵが用いられた通信システムは、回線接続装置としてメディアコンバータが用いられた通信システムよりも、通信方式の管理が容易になる。
【特許文献１】特開２００３−２９８６１４号公報
【特許文献２】特開２００４−６４４４２号公報
【特許文献３】特開２００５−３３６６５号公報
【特許文献４】特開２００８−１０９６５４号公報
【特許文献５】特開２００１−１１１５６４号公報
【発明の開示】
【発明が解決しようとする課題】
【００１３】
特許文献５に記載の通信システム内の伝送装置は、例えば、ＤＳＵが故障しているときに、ＤＳＵに異常通知警報等の指示信号を送信する可能性がある。この場合、指示信号の送信は無駄になってしまうという課題が生じる。
【００１４】
本発明の目的は、上述した課題を解決することが可能な通信システム、通信制御装置、動作制御方法およびプログラムを提供することにある。
【課題を解決するための手段】
【００１５】
本発明の通信システムは、ユーザ端末と接続されるＤＳＵと、前記ＤＳＵを制御する通信制御装置と、を含む通信システムであって、前記ＤＳＵは、前記ＤＳＵが動作しているとき、動作確認用信号を前記通信制御装置に送信する送信手段と、前記通信制御装置から、予め設定された動作を指示する指示信号を受信すると、当該動作を実行する処理手段と、を含み、前記通信制御装置は、前記動作確認用信号を受信する受信手段と、前記受信手段にて前記動作確認用信号が受信されると、前記指示信号を、前記ＤＳＵに送信する制御手段と、を含む。
【００１６】
本発明の通信制御装置は、ユーザ端末と接続されかつ動作中に動作確認用信号を送信するＤＳＵを制御する通信制御装置であって、前記動作確認用信号を受信する受信手段と、前記受信手段にて前記動作確認用信号が受信されると、予め設定された動作を指示する指示信号を、前記ＤＳＵに送信する制御手段と、を含む。
【００１７】
本発明の動作制御方法は、ユーザ端末と接続されるＤＳＵと、前記ＤＳＵを制御する通信制御装置と、を含む通信システムでの動作制御方法であって、前記ＤＳＵが、当該ＤＳＵが動作しているとき、前記通信制御装置に、動作確認用信号を送信する第１送信ステップと、前記通信制御装置が、前記動作確認用信号を受信すると、前記ＤＳＵに、予め設定された動作を指示する指示信号を送信する第２送信ステップと、前記ＤＳＵが、前記指示信号を受信すると、当該指示信号に指示された動作を実行する実行ステップと、を含む。
【００１８】
本発明の動作制御方法は、ユーザ端末と接続されかつ動作中に動作確認用信号を送信するＤＳＵを制御する通信制御装置が行う動作制御方法であって、前記動作確認用信号を受信する受信ステップと、前記動作確認用信号が受信されると、予め設定された動作を指示する指示信号を、前記ＤＳＵに送信する送信ステップと、を含む。
【００１９】
本発明のプログラムは、ユーザ端末と接続されかつ動作中に動作確認用信号を送信するＤＳＵと接続されたコンピュータに、前記動作確認用信号を受信する受信手順と、前記動作確認用信号が受信されると、予め設定された動作を指示する指示信号を、前記ＤＳＵに送信する送信手順と、を実行させる。
【発明の効果】
【００２０】
本発明によれば、指示信号の無駄な送信を少なくすることが可能になる。このため、例えば、遠隔収容されたＤＳＵに対して、インタフェースを直収しているかのように警報状態を監視することが可能になる。
【発明を実施するための最良の形態】
【００２１】
以下、本発明の実施の形態を図面を参照して説明する。
【００２２】
図１は、本発明の実施の形態の通信システムを示したブロック図である。
【００２３】
図１において、通信システムは、ＤＳＵ１および２と、伝送装置３および４と、を含む。ＤＳＵ１は、加入者端末５と接続される。ＤＳＵ２は、加入者端末６と接続される。加入者端末５および６は、一般的にユーザ端末と呼ぶことができ、Ethernet等のユーザインタフェースを直収する端末である。
【００２４】
ＤＳＵ１は、一般的に回線接続装置と呼ぶことができる。
【００２５】
ＤＳＵ１は、ユーザ宅に設置される加入者端末５と、キャリア（通信事業者）の局舎に設置される伝送装置３と、の間に設置され、インタフェース変換および中継伝送を行うための機器である。
【００２６】
伝送装置３は、一般的に通信制御装置と呼ぶことができる。
【００２７】
伝送装置３は、キャリアの局舎に設置され、各種警報監視および設定制御を行うとともに、加入者端末５から伝送されてきた信号を、他の加入者端末へ伝送するための機能を有する。
【００２８】
加入者端末６、ＤＳＵ２、および、伝送装置４は、加入者端末５、ＤＳＵ１、および、伝送装置３と同様の機能を有し、対向側ユーザ回線を収容するために設置される。
【００２９】
Ｔ点は、ＤＳＵ１または２と加入者端末５または６との接続点であり、通信事業者とユーザとの責任分解点となる。
【００３０】
図１に示した通信システムでは、ユーザインタフェースは、例えば、Ethernet信号であってもよいし、ＰＤＨ（Plesiochronous Digital Hierarchy）信号、または、ＳＤＨ信号としてもよい。
【００３１】
ＤＳＵ１は、送信部１１と、処理部１２と、を含む。ＤＳＵ２は、送信部２１と、処理部２２と、を含む。伝送装置３は、受信部３１と、制御部３２と、を含む。伝送装置４は、受信部４１と、制御部４２と、を含む。
【００３２】
送信部１１と送信部２１は、同一構成であり、処理部１２と処理部２２は、同一構成である。また、受信部３１と受信部４１は、同一構成であり、制御部３２と制御部４２は、同一構成である。このため、以下では、主に、送信部１１と、処理部１２と、受信部３１と、制御部３２とについて説明し、送信部２１と、処理部２２と、受信部４１と、制御部４２についての説明は省略する。
【００３３】
送信部１１は、一般的に送信手段と呼ぶことができる。送信部１１は、ＤＳＵ１１が動作しているとき、ＡＣＴ（Activity）信号を、伝送装置３に送信する。ＡＣＴ（Activity）信号は、一般的に動作確認用信号と呼ぶことができる。
【００３４】
処理部１２は、一般的に処理手段と呼ぶことができる。処理部１２は、伝送装置３から、予め設定された動作を指示する指示信号を受信すると、その指示信号が指示する動作を実行する。
【００３５】
なお、ＤＳＵ１は、コンピュータにより実現可能である。この場合、ＤＳＵ１は、例えば、ディスクに記録されたプログラム（アプリケーション）に従って動作する。ディスクは、一般的に、コンピュータ（ＤＳＵ１）にて読み取り可能な記録媒体と呼ぶことができる。
【００３６】
ＤＳＵ１は、プログラムをディスク（記録媒体）から読み取り実行することによって、送信部１１および処理部１２として機能する。
【００３７】
受信部３１は、一般的に受信手段と呼ぶことができる。受信部３１は、ＤＳＵ１から送信されたＡＣＴ信号を受信する。受信部３１は、ＡＣＴ信号を受信すると、そのＡＣＴ信号を、制御部３２に提供する。
【００３８】
制御部３２は、一般的に制御手段と呼ぶことができる。制御部３２は、受信部３１にてＡＣＴ信号が受信されると、指示信号を、ＤＳＵ１に送信する。
【００３９】
制御部３２は、例えば、ＳＤＨ信号のセクションオーバーヘッドまたはＳＤＨ信号のパスオーバーヘッドを用いて、指示信号を送信する。
【００４０】
なお、伝送装置３は、コンピュータにより実現可能である。この場合、伝送装置３は、例えば、ディスクに記録されたプログラム（アプリケーション）に従って動作する。
【００４１】
伝送装置３は、プログラムをディスク（記録媒体）から読み取り実行することによって、受信部３１および制御部３２として機能する。
【００４２】
次に、動作を説明する。
【００４３】
ＤＳＵ１内の送信部１１は、ＤＳＵ１が動作しているとき、ＡＣＴ信号を、伝送装置３に送信する。
【００４４】
伝送装置３内の受信部３１は、ＡＣＴ信号を受信すると、そのＡＣＴ信号を、伝送装置３内の制御部３２に提供する。
【００４５】
伝送装置３内の制御部３２は、ＡＣＴ信号を受信すると、指示信号を、ＤＳＵ１に送信する。
【００４６】
図２および図３は、伝送装置３からＤＳＵ１へ送信される指示信号の送信バイトの定義を示した説明図である。
【００４７】
図２および図３に示したように、指示信号の送信バイトは、ＳＤＨ信号のセクションオーバーヘッド、または、ＳＤＨ信号のパスオーバーヘッドを使用して、伝送装置３からＤＳＵ１へ送信される。
【００４８】
ＤＳＵ１内の処理部１２は、伝送装置３からのＳＤＨ信号を受信すると、ＳＤＨ信号のセクションオーバーヘッド、または、ＳＤＨ信号のパスオーバーヘッドを参照し、指示信号として機能する制御ビットに基づいて、その制御ビットにて指示された動作を実行する。
【００４９】
本実施形態では、指示信号にて、ＤＳＵ１のＴ点に対するAUTONEGO（オートネゴシエーション）のON/OFF設定、リンク断転送のON/OFF設定、および、LOOP2 (LOOP DSU)制御が指示される。
【００５０】
なお、AUTONEGO（オートネゴシエーション）のON/OFF設定、リンク断転送のON/OFF設定、および、LOOP2 (LOOP DSU)制御は、公知技術である。
【００５１】
また、ＤＳＵ１の処理部１２は、種々の故障内容を示す警報信号を、伝送装置３に送信する。
【００５２】
図４および図５は、ＤＳＵ１から伝送装置３へ送信される警報信号の送信バイトの定義を示した説明図である。
【００５３】
図４および図５に示したように、警報信号の送信バイトは、ＳＤＨ信号のセクションオーバーヘッド、または、ＳＤＨ信号のパスオーバーヘッドを使用して、ＤＳＵ１から伝送装置３へ送信される。
【００５４】
伝送装置３内の制御部３２は、ＤＳＵ１からのＳＤＨ信号を、直接、または、受信部３１を介して、受信すると、ＳＤＨ信号のセクションオーバーヘッド、または、ＳＤＨ信号のパスオーバーヘッドを参照し、警報信号として機能する制御ビットに基づいて、その制御ビットにて指示された警報内容に応じた警報処理等を行う。
【００５５】
本実施形態では、警報信号にて、ＤＳＵ１のＴ点入力断、リンク断、装置故障、ＤＳＵ電源断、および、LOOOP2制御状態が示される。
【００５６】
本実施形態によれば、制御部３２は、ＤＳＵ１からＡＣＴ信号を受信すると、指示信号を、ＤＳＵ１に送信する。ＡＣＴ信号は、ＤＳＵ１が動作しているときに送信される。このため、制御部３２は、ＤＳＵ１が動作していることを確認したときに、指示信号をＤＳＵ１に送信する。よって、故障中のＤＳＵ１に指示信号が送信されて、指示信号の送信が無駄になることを防止可能になる。
【００５７】
また、制御部３２は、ＳＤＨ信号のセクションオーバーヘッドまたはＳＤＨ信号のパスオーバーヘッドを用いて、指示信号をＤＳＵ１に送信する。
【００５８】
この場合、ＳＤＨ信号を使って、指示信号を送信することが可能になる。
【００５９】
また、本実施形態では、加入者インタフェースを遠隔収容する方式において、遠隔収容されたＤＳＵ１および２に対して、キャリアの局舎に設置された伝送装置３および４が各種制御、監視を行う。
【００６０】
このため、以下に記載するような効果を有する。
【００６１】
第１の効果は、ＤＳＵのＴ点側に対して、AUTONEGOのON/OFF設定、リンク断転送のON/OFF設定、およびLOOP2 (LOOP DSU)制御を実施することが可能となる。このため、遠隔収容されたＤＳＵに対して、インタフェースを直収しているのと同様の制御を行うことができる。
【００６２】
第２の効果は、ＤＳＵが、ＤＳＵのＴ点入力断、リンク断、装置故障、DSU電源断、および、LOOOP2制御状態を、伝送装置に応答することにより、遠隔収容されたＤＳＵに対して、インタフェースを直収しているかのように警報状態を監視することが可能となる。
【００６３】
以上説明した実施形態において、図示した構成は単なる一例であって、本発明はその構成に限定されるものではない。
【図面の簡単な説明】
【００６４】
【図１】本発明の実施の形態の通信システムを示したブロック図である。
【図２】伝送装置３からＤＳＵ１へ送信される指示信号の送信バイトの定義を示した説明図である。
【図３】伝送装置３からＤＳＵ１へ送信される指示信号の送信バイトの定義を示した説明図である。
【図４】ＤＳＵ１から伝送装置３へ送信される警報信号の送信バイトの定義を示した説明図である。
【図５】ＤＳＵ１から伝送装置３へ送信される警報信号の送信バイトの定義を示した説明図である。
【図６】回線接続装置としてＤＳＵが用いられた通信システムを示したブロック図である。
【符号の説明】
【００６５】
１、２      ＤＳＵ
１１        送信部
１２        処理部
３、４      伝送装置
３１        受信部
３２        制御部
５、６      加入者端末
【図１】
2010021850.tif 000003
【図２】
2010021850.tif 000004
【図３】
2010021850.tif 000005
【図４】
2010021850.tif 000006
【図５】
2010021850.tif 000007
【図６】
2010021850.tif 000008